(57)【特許請求の範囲】
【請求項１】
上面が開口され一端部にカードが挿入される挿入口が形成されたフレームと、このフレームに取り付けられた金属製のカバーと、前記フレームの他端部に支持されて前記カードの底面に設けられた接点と接続される端子とを備え、前記カバーには、前記フレームの開口上面を塞ぐ上板の一部が前記フレームの開口内部に向かって切り曲げられて、前記カードの上面を押圧して前記接点を前記端子と接触する方向へ押し付ける第１，第２の弾性片が設けられており、これら第１，第２の弾性片は、それぞれ前記挿入口側の一端部を前記カバーの上板に支持させて各々の他端部が前記フレームの前記端子の支持部に向かって互いに離れるように伸びて形成され、前記第１，第２の弾性片の一端部の間隔に対して前記第１，第２の弾性片の他端部の間隔が広く形成されていることを特徴とするカード用コネクタ装置。
【請求項２】
前記カバーの上板の一側部側には前記第１の弾性片が、また他側部側には前記第２の弾性片がそれぞれ配置され、前記カバーの上板の中央部が前記フレームの開口内部に向かって切り曲げられて、前記カバーには第３の弾性片が設けられ、この第３の弾性片で前記カードの上面の前記接点近傍に対応する部分を押圧して前記接点を前記端子に押し付けるようにしたことを特徴とする請求項１に記載のカード用コネクタ装置。
【請求項３】
前記第３の弾性片は、その中央部に設けられて前記カードの上面を押圧する押圧部と、この押圧部の両側に形成された一対の弾性アーム部とを一連に有し、前記第３の弾性片が前記一対の弾性アーム部で前記カバーの上板に支持されていることを特徴とする請求項２に記載のカード用コネクタ装置。
【請求項４】
前記カードには一側部に第１の切欠部が、また他側部に第２の切欠部がそれぞれ前記カードの挿入方向に位置ずれして形成されており、これに対応して前記第１，第２の弾性片を前記カードの挿入方向に位置ずれさせて配置して、前記カードの上面の両側部を前記第１，第２の弾性片が前記第１，第２の切欠部を避けて押圧するようにしたことを特徴とする請求項１，２又は３に記載のカード用コネクタ装置。
【請求項５】
前記第１，第２の弾性片が、前記端子と前記接点との接触部と、前記第１，第２の切欠部との間であって、前記第１，第２の切欠部寄りの前記カードの上面の両側部を押圧することを特徴とする請求項４に記載のカード用コネクタ装置。
【請求項６】
前記カードの上面には表示ラベルが貼付され、前記第１，第２の弾性片が前記カードの上面の前記表示ラベル以外の部分を押圧することを特徴とする請求項５に記載のカード用コネクタ装置。
【発明の詳細な説明】
【０００１】
【発明の属する技術分野】
本発明は、カードを抜き差しして使用される機器に装着されるカード用コネクタ装置に関する。
【０００２】
【従来の技術】
図１４は、この種のカード用コネクタ装置の従来技術を説明するためのものであり、このカード用コネクタ装置３１は、上面を開口した箱形状のフレーム３２に金属平板からなるカバー３３がフレーム３２の開口上面を塞ぐように取り付けられ、フレーム３２の一端部には挿入口３４が形成されており、複数本の端子３５が先端部をフレーム３２内に位置させてフレーム３２の他端部に支持され、これら端子３５の後端部がフレーム３２の他端部から突出されている。
【０００３】
また、カバー３３には、その上板が一対の突片を残すように矩形状に切り欠かれて孔部３６が形成され、この一対の突片がフレーム３２の開口内部に向かって折り曲げられて第１，第２の弾性片３７，３８を形成している。
【０００４】
このカード用コネクタ装置３１は、回路基板（図示せず）に搭載されて、その回路基板の配線パターンに複数本の端子３５の後端部を半田付けして使用され、挿入口３４から挿入されたカード（図示省略）の上面を第１，第２の弾性片３７，３８が押圧して、上記カードの底面に設けられた複数の接点を複数本の端子３５の先端部及びフレーム基準面に押し付け、上記カードの接点と上記回路基板の配線パターンとを複数本の端子３５により電気的に接続させて、上記カードに対し情報の記録または再生を行うことができるようになっている。
【０００５】
そして、このカード用コネクタ装置３１は、上記カードの抜き差しに伴う第１，第２の弾性片３７，３８との摺接によって上記カードに傷等の損傷を与えるのを避けるため、第１，第２の弾性片３７，３８のばね定数の大きさが、その長さ寸法Ｌ１を上記カードの挿入方向（矢印Ａ方向）に長くとることで上記カードに損傷を与えることなく複数本の端子３５と上記カードの接点との接続を維持できる程度の大きさに設定されていた。
【０００６】
【発明が解決しようとする課題】
しかしながら、上述したカード用コネクタ装置３１にあっては、第１，第２の弾性片３７，３８の長さ寸法Ｌ１を長く確保するのに孔部３６を挿入方向（矢印Ａ方向）に大きく形成する必要があるため、その結果、強度的にカバー３３の剛性が不足し、カバー３３に曲げや捩れ等の外力が加わった場合にカバー３３が変形してしまうという不具合があった。このような場合には、第１，第２の弾性片３７，３８が所定の押圧力で上記カードの上面を押圧できなくなることとなる。
【０００７】
本発明は上述した従来技術の事情に鑑みてなされたもので、その目的は、カバーの剛性を高め、カードの接点を端子に押し付けてこれらの接続を維持できるカード用コネクタ装置を提供することにある。
【０００８】
【課題を解決するための手段】
上記目的を達成するために、本発明のカード用コネクタ装置は、上面が開口され一端部にカードが挿入される挿入口が形成されたフレームと、このフレームに取り付けられた金属製のカバーと、前記フレームの他端部に支持されて前記カードの底面に設けられた接点と接続される端子とを備え、前記カバーには、前記フレームの開口上面を塞ぐ上板の一部が前記フレームの開口内部に向かって切り曲げられて、前記カードの上面を押圧して前記接点を前記端子と接触する方向へ押し付ける第１，第２の弾性片が設けられており、これら第１，第２の弾性片は、それぞれ前記挿入口側の一端部を前記カバーの上板に支持させて各々の他端部が前記フレームの前記端子の支持部に向かって互いに離れるように伸びて形成され、前記第１，第２の弾性片の一端部の間隔に対して前記第１，第２の弾性片の他端部の間隔が広く形成されていることを最も主要な特徴としている。
【０００９】
また、上記構成において、前記カバーの上板の一側部側には前記第１の弾性片が、また他側部側には前記第２の弾性片がそれぞれ配置され、前記カバーの上板の中央部が前記フレームの開口内部に向かって切り曲げられて、前記カバーには第３の弾性片が設けられ、この第３の弾性片で前記カードの上面の前記接点近傍に対応する部分を押圧して前記接点を前記端子に押し付けるようにした構成とした。
【００１０】
また、上記構成において、前記第３の弾性片は、その中央部に設けられて前記カードの上面を押圧する押圧部と、この押圧部の両側に形成された一対の弾性アーム部とを一連に有し、前記第３の弾性片が前記一対の弾性アーム部で前記カバーの上板に支持されている構成とした。
【００１１】
また、上記構成において、前記カードには一側部に第１の切欠部が、また他側部に第２の切欠部がそれぞれ前記カードの挿入方向に位置ずれして形成されており、これに対応して前記第１，第２の弾性片を前記カードの挿入方向に位置ずれさせて配置して、前記カードの上面の両側部を前記第１，第２の弾性片が前記第１，第２の切欠部を避けて押圧するようにした構成とした。
【００１２】
また、上記構成において、前記第１，第２の弾性片が、前記端子と前記接点との接触部と、前記第１，第２の切欠部との間であって、前記第１，第２の切欠部寄りの前記カードの上面の両側部を押圧する構成とした。
【００１３】
また、上記構成において、前記カードの上面には表示ラベルが貼付され、前記第１，第２の弾性片が前記カードの上面の前記表示ラベル以外の部分を押圧する構成とした。
【００１４】
【発明の実施の形態】
以下、本発明のカード用コネクタ装置の一実施形態を図１乃至図１３に基づいて説明する。
【００１５】
このカード用コネクタ装置１は、上面を開口した箱形状のフレーム２に金属製のカバー３がフレーム２の開口上面を塞ぐように取り付けられた構造となっている。
【００１６】
このカード用コネクタ装置１に用いられるカード２１は公知のもので、ＩＣ等の電子部品を硬質プラスチック製のケースに収納して形成され、図１２及び図１３に示すように、先端一隅にテーパ部２２が形成され、上面に製品名等が記入された表示ラベル２３が貼付されており、底面にはその先端部に複数の接点２４が一定間隔で並設されている。また、カード２１には一側部に第１の切欠部２５が、また他側部に第２の切欠部２６がそれぞれカード２１の挿入方向（矢印Ａ方向）に位置ずれして形成され、第１の切欠部２５内にカード２１への情報の書き込みを禁止するためのノブ２７がスライド自在に装着されている。
【００１７】
次に、カード用コネクタ装置１を構成するフレーム２及びカバー３の具体的構成について順次説明する。
【００１８】
フレーム２は、ＰＢＴ（ポリブチレンテレフタレート）等の絶縁合成樹脂から形成されてなるもので、一端部に挿入口４が形成され、フレーム２の他端部には複数本の端子５が先端部をフレーム２内に位置させてインサート成形又は圧入によって支持されており、これら端子５の後端部がフレーム２の他端部から突出し、フレーム２の両側部が挿入口４から挿入されるカード２１を複数本の端子５に案内する一対のガイド部６となっている。
【００１９】
カバー３は、ステンレス等の金属平板を折り曲げ加工してなるもので、図８乃至図１１に示すように、上板７とこの上板７に連設された一対の側板８とで形成されており、一対の側板８の一端部に係合片９が一体に形成されているとともに、上板７には、その両側部がそれぞれ突片を残すように切り欠かれて第１，第２の孔部１０，１１が形成され、これら一対の突片が下方に向かって曲折されて第１，第２の弾性片１２，１３とされている。そして、上板７の一側部に第１の弾性片１２が、また他側部には第２の弾性片１３がそれぞれ配置され、図３に示すように、上板７に支持された第１，第２の弾性片１２，１３の一端部の間隔Ｗ１に対して、第１，第２の弾性片１２，１３の他端部の間隔Ｗ２が広く形成されている。
【００２０】
また、上板７には、その中央部が突片を残すように切り欠かれて第３の孔部１４が形成され、この突片が下方に向かって曲折されて第３の弾性片１５とされている。この第３の弾性片１５は、その中央部に設けられた押圧部１６と、この押圧部１６の両側に形成された一対の弾性アーム部１７とを一連に有し、一対の弾性アーム部１７で上板７に支持されている。
【００２１】
そして、このカバー３は、図１乃至図５に示すように、係合片９をフレーム２の底面に係合させ、両側板８の他端部をフレーム２の係止突起１８に係止させることによってフレーム２に取り付けられており、第１，第２の弾性片１２，１３は、カード２１の挿入方向（矢印Ａ方向）に位置ずれして配置され、それぞれ挿入口４側の一端部をカバー３の上板７に支持させて、各々の他端部がフレーム２の端子５の支持部に向かって互いに離れるように伸びて形成された状態となっている。
【００２２】
このように構成されたカード用コネクタ装置１は、回路基板（図示せず）に搭載されて、その回路基板の配線パターンに複数本の端子５の後端部を半田付けして使用され、カード２１を接点２４が形成された先端部側から挿入口４に挿入すると、カード２１がフレーム２の一対のガイド部６に案内されて挿入方向（矢印Ａ方向）に沿ってフレーム２内に導入され、第１の弾性片１２の他端部にカード２１の先端部が当接するとともに、第２の弾性片１３の他端部にカード２１のテーパ部２２が当接する。
【００２３】
カード２１をフレーム２の内部にさらに挿入すると、カード２１によって第１，第２の弾性片１２，１３が自身の弾性に抗して一端部を支点として上方に押し上げられて、図６に示すように、第１，第２の弾性片１２，１３の他端部がカード２１の上面に乗り上がり、カード２１がその上面の両側部に第１，第２の弾性片１２，１３の他端部を摺接させながらフレーム２の内部に導入され、第３の弾性片１５の押圧部１６にカード２１の先端部が当接する。
【００２４】
カード２１をフレーム２の奥まで挿入すると、第３の弾性片１５が自身の弾性に抗して一対の弾性アーム部１７とカバー３の上板７との連結基点を支点として上方に押し上げられて、第３の弾性片１５の押圧部１６がカード２１の上面に乗り上がり、カード２１がその上面に第３の弾性片１５の押圧部１６を摺接させながらフレーム２の内部に導入される。
【００２５】
そして、図７に示すように、カード２１がフレーム２の奥まで挿入されたときには、第３の弾性片１５の押圧部１６がカード２１の上面の接点２４に対応する部分に位置するようになっているので、第３の弾性片１５がその押圧部１６でカード２１の上面の接点２４に対応する部分を押圧して接点２４を端子５に押し付けるとともに、第１，第２の弾性片１２，１３が、カード２１の上面の第３の弾性片１５の押圧部１６よりも挿入口４側に離れた位置、すなわち端子５と接点２４との接触部と、第１，第２の切欠部２５，２６との間であって、第１，第２の切欠部２５，２６寄りのカード２１の上面の両側部を押圧して接点２４を端子５と接触する方向へ押し付け、第１，第２，第３の弾性片１２，１３，１５でカード２１の上面が異なる３点で押圧されることにより、カード２１の接点２４が複数の端子５とそれぞれ接続される。
【００２６】
この状態でこのカード用コネクタ装置１は、カード２１の接点２４と上記回路基板の配線パターンとが端子５で電気的に接続させて、カード２１と上記回路基板との間で記録再生信号の授受が行われ、カード２１に対して情報の記録または再生を行うことができるようになっている。
【００２７】
しかして、このカード用コネクタ装置１にあっては、第１，第２の弾性片１２，１３は、それぞれ挿入口４側の一端部をカバー３の上板７に支持させて各々の他端部がフレーム２の端子５の支持部に向かって互いに離れるように伸びて形成され、第１，第２の弾性片１２，１３の一端部の間隔Ｗ１に対して第１，第２の弾性片１２，１３の他端部の間隔Ｗ２が広く形成されているので、図８に示すように、第１，第２の弾性片１２，１３の長さ寸法Ｌ１を従来技術と同じくしながらも、挿入方向（矢印Ａ方向）における第１，第２の孔部１０，１１の大きさを小さく形成することができるため、カバー３の剛性を高め、カバー３に曲げや捩れ等の外力が加わった場合にカバー３の変形を抑制することができる。
【００２８】
また、第１，第２の弾性片１２，１３は、カバー３の上板７に支持される挿入口４側の一端部を他端部よりも内方に配置することができるため、図３に示すように、一端部の幅Ｗ３を他端部の幅Ｗ４に比べ大きくとることができることから、両弾性片１２，１３自身の弾性限度（強度）もカバー３のそれと併せて高めることができる。
【００２９】
また、カバー３にはカード２１の上面の接点２４に対応する部分を押圧する第３の弾性片１５が設けられ、この第３の弾性片１５と第１，第２の弾性片１２，１３との双方でカード２１の上面を押圧して接点２４を端子５と接触する方向へ押し付けるようにしたので、接点２４と端子５との接続を確実なものとすることができる。
【００３０】
そして、この第３の弾性片１５は、挿入方向（矢印Ａ方向）に第３の孔部１４を大きく形成することなく一対の弾性アーム１７の長さ寸法を長くとることができるので、カバー３の剛性を保ちながらばね定数を抑えてその作用力を充分に大きく設定することができる。
【００３１】
また、第１，第２の弾性片１２，１３は、カード２１の上面を第１，第２の切欠部２５，２６を避けて押圧するように挿入方向（矢印Ａ方向）に位置ずれして配置され、端子５と接点２４との接触部と、第１，第２の切欠部２５，２６との間であって、第１，第２の切欠部２５，２６寄りのカード２１の上面の両側部を押圧して接点２４を端子５に押し付けるので、第１，第２の弾性片１２，１３の他端部が第１，第２の切欠部２５，２６に落ち込むことなく、第３の弾性片１５と協力してカード２１の上面の異なる３点を押圧しカード２１の接点２４を確実に端子５の押し付けることができる。
【００３２】
また、第１，第２の弾性片１２，１３は、カード２１の上面の表示ラベル２３が貼付された以外の部分を押圧するので、カード２１の抜き差しに伴う第１，第２の弾性片１２，１３との摺接によって表示ラベル２３に剥離や表示内容の掠れ等が生じるのを防止することができる。
【００３３】
【発明の効果】
本発明は、以上説明したような形態で実施され、以下に記載されるような効果を奏する。
【００３４】
本発明のカード用コネクタ装置は、上面が開口され一端部にカードが挿入される挿入口が形成されたフレームと、このフレームに取り付けられた金属製のカバーと、前記フレームの他端部に支持されて前記カードの底面に設けられた接点と接続される端子とを備え、前記カバーには、前記フレームの開口上面を塞ぐ上板の一部が前記フレームの開口内部に向かって切り曲げられて、前記カードの上面を押圧して前記接点を前記端子と接触する方向へ押し付ける第１，第２の弾性片が設けられており、これら第１，第２の弾性片は、それぞれ前記挿入口側の一端部を前記カバーの上板に支持させて各々の他端部が前記フレームの前記端子の支持部に向かって互いに離れるように伸びて形成され、前記第１，第２の弾性片の一端部の間隔に対して前記第１，第２の弾性片の他端部の間隔が広く形成されているので、前記カバーの剛性を高め、前記カバーに曲げや捩れ等の外力が加わった場合に前記カバーの変形を抑制することができ、前記カードに損傷を与えることなく前記カードの接点を前記端子に押し付けてこれらの接続を維持できる。
【００３５】
また、前記カバーの上板の一側部側には前記第１の弾性片が、また他側部側には前記第２の弾性片がそれぞれ配置され、前記カバーの上板の中央部が前記フレームの開口内部に向かって切り曲げられて、前記カバーには第３の弾性片が設けられ、この第３の弾性片で前記カードの上面の前記接点近傍に対応する部分を押圧して前記接点を前記端子に押し付けるようにしたので、前記接点と前記端子との接続を確実なものとすることができる。
【００３６】
また、前記第３の弾性片は、その中央部に設けられて前記カードの上面を押圧する押圧部と、この押圧部の両側に形成された一対の弾性アーム部とを一連に有し、前記第３の弾性片が前記一対の弾性アーム部で前記カバーの上板に支持されているので、前記カバーの剛性を保ちながらばね定数を抑え、その作用力を充分に大きく設定することができる。
【００３７】
また、前記カードには一側部に第１の切欠部が、また他側部に第２の切欠部がそれぞれ前記カードの挿入方向に位置ずれして形成されており、これに対応して前記第１，第２の弾性片を前記カードの挿入方向に位置ずれさせて配置して、前記カードの上面の両側部を前記第１，第２の弾性片が前記第１，第２の切欠部を避けて押圧するようにしたので、前記第１，第２の弾性片が前記第１，第２の切欠部に落ち込むことがなく前記カードの接点を確実に前記端子の押し付けることができる。
【００３８】
また、前記第１，第２の弾性片が、前記端子と前記接点との接触部と、前記第１，第２の切欠部との間であって、前記第１，第２の切欠部寄りの前記カードの上面の両側部を押圧するで、前記第３の弾性片と協力して前記カードの上面の異なる３点を押圧し前記カードの接点を確実に前記端子の押し付けることができる。
【００３９】
また、前記カードの上面には表示ラベルが貼付され、前記第１，第２の弾性片が前記カードの上面の前記表示ラベル以外の部分を押圧するので、前記カードの抜き差しに伴う前記第１，第２の弾性片との摺接によって前記表示ラベルに剥離や表示内容の掠れ等が生じるのを防止することができる。
【図面の簡単な説明】
【図１】本発明のカード用コネクタ装置の斜視図。
【図２】本発明のカード用コネクタ装置の底面側から見た斜視図。
【図３】本発明のカード用コネクタ装置の平面図。
【図４】本発明のカード用コネクタ装置の側面図。
【図５】本発明のカード用コネクタ装置の底面図。
【図６】本発明のカード用コネクタ装置のカード挿入過程を説明するための平面図。
【図７】本発明のカード用コネクタ装置にカードの挿入が完了した状態を示す平面図。
【図８】本発明のカード用コネクタ装置に係るカバーの平面図。
【図９】本発明のカード用コネクタ装置に係るカバーの正面図。
【図１０】本発明のカード用コネクタ装置に係るカバーの左側面図。
【図１１】本発明のカード用コネクタ装置に係るカバーの右側面図。
【図１２】本発明のカード用コネクタ装置に用いられるカードの平面図。
【図１３】本発明のカード用コネクタ装置に用いられるカードの底面図。
【図１４】従来のカード用コネクタ装置の平面図。
【符号の説明】
１  カード用コネクタ装置
２  フレーム
３  カバー
４  挿入口
５  端子
６  ガイド部
７  上板
８  側板
９  係合片
１０  第１の孔部
１１  第２の孔部
１２  第１の弾性片
１３  第２の弾性片
１４  第３の孔部
１５  第３の弾性片
１６  押圧部
１７  弾性アーム部
１８  係合突起
２１  カード
２２  テーパ部
２３  表示ラベル
２４  接点
２５  第１の切欠部
２６  第２の切欠部
２７  ノブ
【図１】
0003784646.tif 000002
【図２】
0003784646.tif 000003
【図３】
0003784646.tif 000004
【図４】
0003784646.tif 000005
【図５】
0003784646.tif 000006
【図６】
0003784646.tif 000007
【図７】
0003784646.tif 000008
【図８】
0003784646.tif 000009
【図９】
0003784646.tif 000010
【図１０】
0003784646.tif 000011
【図１１】
0003784646.tif 000012
【図１２】
0003784646.tif 000013
【図１３】
0003784646.tif 000014
【図１４】
0003784646.tif 000015